(57)【要約】      （修正有）【課題】商品の配送効率を改善する決定装置、決定方法、および決定プログラムを提供する。【解決手段】本願に係る決定装置は、提示対象となる商品を特定する特定部と、前記商品の発送元から発送先までの配送に関する負荷に基づいて、前記特定部が特定した商品の情報を提示する順序である提示順序を決定する決定部と、を有することを特徴とする。【選択図】図２
2019032624.tif 000002
【特許請求の範囲】
【請求項１】
提示対象となる商品を特定する特定部と、
前記商品の発送元から発送先までの配送に関する負荷に基づいて、前記特定部が特定した商品の情報を提示する順序である提示順序を決定する決定部と、
を有することを特徴とする決定装置。
【請求項２】
前記決定部は、前記負荷として、前記特定部が特定した商品を発送する発送元から発送先までの距離に基づいて、前記提示順序を決定する
ことを特徴とする請求項１に記載の決定装置。
【請求項３】
前記決定部は、前記負荷として、前記特定部が特定した商品を発送する発送元から発送先まで前記商品を配送する手段に応じて、前記提示順序を決定する
ことを特徴とする請求項１または２に記載の決定装置。
【請求項４】
前記決定部は、前記負荷として、前記特定部が特定した商品を発送する発送元から発送先まで前記商品を配送する際に生じる温室効果ガスの量に応じて、前記提示順序を決定する
ことを特徴とする請求項１〜３のうちいずれか１つに記載の決定装置。
【請求項５】
前記決定部は、前記負荷として、前記特定部が特定した商品を発送する発送元から発送先まで前記商品を配送する際に生じる配送原価に応じて、前記提示順序を決定する
ことを特徴とする請求項１〜４のうちいずれか１つに記載の決定装置。
【請求項６】
前記決定部は、前記特定部により特定された商品ごとに、当該商品を出品した店舗が当該商品を発送する発送元を特定し、特定した発送元から発送先までの配送に関する負荷に基づいて、前記提示順序を決定する
ことを特徴とする請求項１〜５のうちいずれか１つに記載の決定装置。
【請求項７】
前記特定部は、利用者から受付けた情報と対応する商品を前記提示対象となる商品として特定し、
前記決定部は、前記利用者の位置を前記発送先として特定し、前記商品の発送元から、特定した前記利用者の位置までの配送に関する負荷に基づいて、前記提示順序を決定する
ことを特徴とする請求項１〜６のうちいずれか１つに記載の決定装置。
【請求項８】
前記特定部は、利用者から受付けた情報と対応する商品を前記提示対象となる商品として特定し、
前記決定部は、前記利用者が設定した発送先の履歴に基づいて、前記特定部により特定された商品の発送先を推定し、前記商品の発送元から、推定した発送先までの配送に関する負荷に基づいて、前記提示順序を決定する
ことを特徴とする請求項１〜７のうちいずれか１つに記載の決定装置。
【請求項９】
前記決定部は、前記利用者が購入した商品と当該商品の発送先として前記利用者が設定した発送先との共起性に基づいて、前記特定部により特定された商品の発送先を推定し、前記商品の発送元から、推定した発送先までの配送に関する負荷に基づいて、前記提示順序を決定する
ことを特徴とする請求項８に記載の決定装置。
【請求項１０】
前記特定部は、利用者から受付けた情報と対応する商品を前記提示対象となる商品として特定し、
前記決定部は、前記商品の発送元から、予め登録された発送先のうち前記利用者が選択した発送先までの配送に関する負荷に基づいて、前記提示順序を決定する
ことを特徴とする請求項１〜９のうちいずれか１つに記載の決定装置。
【請求項１１】
前記決定部は、前記商品の発送元から発送先までの配送に関する複数種別の負荷のうち、利用者により選択された負荷に基づいて、前記特定部が特定した商品の情報を提示する順序である提示順序を決定する、
ことを特徴とする請求項１〜１０のうちいずれか１つに記載の決定装置。
【請求項１２】
前記決定部は、前記商品または当該商品に関する情報と関連する従来指標と、前記商品の発送元から発送先までの配送に関する負荷とに基づいて、前記提示順序を決定する
ことを特徴とする請求項１〜１１のうちいずれか１つに記載の決定装置。
【請求項１３】
前記決定部は、前記商品の広告費に関する情報、当該商品の価格、または電子商店街における当該商品の価値の少なくともいずれか１つと、当該商品の発送元から発送先までの配送に関する負荷に基づいて、前記提示順序を決定する
ことを特徴とする請求項１２に記載の決定装置。
【請求項１４】
決定装置が実行する決定方法であって、
提示対象となる商品を特定する特定工程と、
前記商品の発送元から発送先までの配送に関する負荷に基づいて、前記特定工程で特定した商品の情報を提示する順序である提示順序を決定する決定工程と、
を含むことを特徴とする決定方法。
【請求項１５】
提示対象となる商品を特定する特定手順と、
前記商品の発送元から発送先までの配送に関する負荷に基づいて、前記特定手順で特定した商品の情報を提示する順序である提示順序を決定する決定手順と、
を実行させるための決定プログラム。
【発明の詳細な説明】
【技術分野】
【０００１】
本発明は、決定装置、決定方法、および決定プログラムに関する。
【背景技術】
【０００２】
従来、利用者が入力した検索クエリに合致する商品の情報をリスト形式で表示する技術が知られている。このような技術の一例として、各商品の出品者が設定した入札参加費用の額に基づいて、各商品の情報を表示する順序を決定し、決定した順序で商品の情報を並べたリストを表示する技術が知られている。
【先行技術文献】
【特許文献】
【０００３】
【特許文献１】特開２０１５−１７９４７０号公報
【発明の概要】
【発明が解決しようとする課題】
【０００４】
しかしながら、上記の従来技術では、商品の配送効率を悪化させる恐れがある。
【０００５】
例えば、上記の従来技術では、入札参加費用の額が他の商品よりも高い商品をリストの上位に表示する。このため、上記の従来技術では、第１の地域に所在する第１の店舗よりも高額な入札参加費用を第２の地域に所在する第２の店舗が設定していた場合、第１の地域に所在する利用者に対して、第２の店舗が出品した商品の情報が優先的に表示される。この結果、利用者が第２の店舗から商品を購入する可能性が高くなってしまい、第１の地域に同じ商品が存在するにもかかわらず第２の地域から第１の地域へと商品の配送が行われる可能性が高くなってしまう。
【０００６】
本願は、上記に鑑みてなされたものであって、商品の配送効率を改善することを目的とする。
【課題を解決するための手段】
【０００７】
本願に係る決定装置は、提示対象となる商品を特定する特定部と、前記商品の発送元から発送先までの配送に関する負荷に基づいて、前記特定部が特定した商品の情報を提示する順序である提示順序を決定する決定部と、を有することを特徴とする。
【発明の効果】
【０００８】
実施形態の一態様によれば、商品の配送効率を改善することができる。
【図面の簡単な説明】
【０００９】
【図１】図１は、実施形態に係る情報提供装置の一例を示す図である。
【図２】図２は、実施形態に係る情報提供装置の構成例を示す図である。
【図３】図３は、実施形態に係る商品データベースの一例を示す図である。
【図４】図４は、実施形態に係る店舗データベースの一例を示す図である。
【図５】図５は、実施形態に係る利用者データベースの一例を示す図である。
【図６】図６は、実施形態に係る配送負荷データベースの一例を示す図である。
【図７】図７は、実施形態に係る決定処理の流れの一例を示すフローチャートである。
【図８】図８は、ハードウェア構成の一例を示す図である。
【発明を実施するための形態】
【００１０】
以下に、本願に係る決定装置、決定方法、および決定プログラムを実施するための形態（以下、「実施形態」と呼ぶ。）について図面を参照しつつ詳細に説明する。なお、この実施形態により本願に係る決定装置、決定方法、および決定プログラムが限定されるものではない。また、以下の各実施形態において同一の部位には同一の符号を付し、重複する説明は省略される。
【００１１】
〔１．情報提供装置の一例〕
まず、図１を用いて、実施形態に係る決定装置の一例である情報提供装置１０の一例について説明する。図１は、実施形態に係る情報提供装置の一例を示す図である。図１では、決定装置の一例である情報提供装置１０によって実行される決定処理の一例として、電子商店街に各店舗Ｓが出品した商品を利用者Ｕが検索する際に、各商品の情報を表示する順序を決定する決定処理（すなわち、検索処理におけるリスティング）の一例について説明する。
【００１２】
図１に示す情報提供装置１０は、決定処理を行う情報処理装置であり、例えば、サーバ装置やクラウドシステム等により実現される。例えば、情報提供装置１０は、電子商店街に関するサービスを各店舗Ｓ１〜Ｓ３や利用者Ｕに対して提供する機能を有し、電子商店街に関するサービスの一環として、決定処理の実行を行う。
【００１３】
利用者端末１００は、利用者Ｕにより利用されるＰＣ（FPersonal  Computer）やスマートフォン等の情報処理端末である。例えば、利用者端末１００は、インターネット等のネットワークＮ（例えば、図２参照）を介して、情報提供装置１０と通信可能である。なお、図１での図示は省略しているが、情報提供装置１０は、さらに任意の数の利用者端末と通信可能であってもよい。
【００１４】
店舗Ｓ１〜Ｓ３（以下、「店舗Ｓ」と総称する場合がある。）は、情報提供装置１０が提供する電子商店街のサービスを介して、商品を利用者Ｕに対して販売する店舗である。より具体的には、店舗Ｓは、電子商店街のサービスを介して利用者Ｕが購入した商品を発送する店舗である。
【００１５】
なお、各店舗Ｓは、実際の店舗を有していてもよく、有していなくともよい。また、各店舗Ｓは、商品を利用者Ｕへと発送するが、かかる発送を行う拠点は、店舗Ｓそのものであってもよく、店舗Ｓが商品を管理する倉庫等、店舗Ｓそのものとは異なる拠点であってもよい。例えば、店舗Ｓ１は、商品の保管や発送を行う倉庫が地域Ａ１に所在し、商品の注文を受付ける営業所が、地域Ａ１以外の地域に所在する店舗であってもよい。すなわち、店舗Ｓの所在地とは、店舗Ｓそのものが所在する位置のみならず、店舗Ｓの倉庫等、店舗Ｓが商品を発送する拠点をも含む概念である。
【００１６】
以下の説明では、店舗Ｓ１は、地域Ａに所在し、店舗Ｓ２は、地域Ｂに所在し、店舗Ｓ３は、地域Ｃに所在するものとする。また、以下の説明では、利用者Ｕは、地域Ｃに自宅を有し、自宅を発送先として商品を購入しようとしているものとする。
【００１７】
例えば、情報提供装置１０は、店舗Ｓ１〜Ｓ３から電子商店街で販売する商品の情報（例えば、画像、価格、送料、在庫数等）の登録を受付ける。そして、情報提供装置１０は、利用者Ｕから商品の検索クエリを受付けた場合は、出品された商品のうち、検索クエリと対応する商品を抽出し、抽出した商品の画像や価格等を示すコンテンツや、店舗Ｓが出品した商品を購入するためのコンテンツである商品コンテンツを利用者Ｕに対して配信する。
【００１８】
また、情報提供装置１０は、商品コンテンツを介して利用者Ｕが店舗Ｓ１の商品を購入した場合は、商品の発送先となる住所や受取人の氏名、商品の配送方法（例えば、航空便であるか陸路の配送であるか等）、希望の配達日時等の登録を受付ける。このような場合、情報提供装置１０は、利用者Ｕが商品を購入した店舗Ｓ１に対し、商品が購入された旨と、商品の発送先を示す発送先情報を通知する。
【００１９】
なお、情報提供装置１０は、購入された商品の料金を利用者Ｕに対して課金し、店舗Ｓ１に対して商品の料金を提供してもよい。また、情報提供装置１０は、商品価格から広告費用や所定の手数料を減算した額の料金を、店舗Ｓ１に対して提供してもよい。
【００２０】
〔１−１．商品の検索について〕
ここで、電子商店街において利用者Ｕが商品を検索する場合には、利用者Ｕから所望する商品と対応する検索クエリの入力や選択を受付ける。例えば、情報提供装置１０は、利用者Ｕから、検索クエリとして、商品名や商品の属性等を受付けると、出品された商品の中から受付けた検索クエリと対応する商品を検索する。
【００２１】
また、情報提供装置１０は、検索クエリと対応する商品に関する各種の情報や、検索を行った利用者Ｕの属性等に基づいて、各商品の商品コンテンツを表示する優先度（例えば、各商品コンテンツを並べる順番）を決定する。例えば、情報提供装置１０は、商品の価格、送料、商品に対する各利用者の評価、商品を出品した店舗に対する利用者の評価等に基づいて、各商品コンテンツを表示するスコア（以下、「表示スコア」と記載する。）を優先度として算出する。
【００２２】
また、情報提供装置１０は、商品の広告費に関する情報に基づいて、表示スコアを算出する場合がある。例えば、情報提供装置１０は、各商品ごと若しくは店舗ごとに、商品価格に対する販売促進費の割合である販促割合の登録を店舗Ｓから受付ける。このような場合、情報提供装置１０は、電子商店街を運営する運営者の主導により、販売促進費の範囲内で商品のセールやクーポンの発行を自動的に行う。そして、情報提供装置１０は、商品が販売された場合は、セールやクーポンの有無や内容にかかわらず、あらかじめ登録された販売価格から販売促進費を減算した額を店舗へと提供する。このような販促割合の値や販売促進費の値に応じて、商品コンテンツの表示スコアを算出する場合、情報提供装置１０は、販促割合の値や販売促進費の値が大きい程、表示スコアの値が高くなるように、表示スコアの算出を行う。
【００２３】
また、情報提供装置１０は、電子商店街における商品の価値に基づいて、表示スコアを算出する場合がある。例えば、同一の商品が異なる店舗から出品されていたとしても、いずれかの店舗が出品した商品の評価やその店舗の評価が高い場合には、他の店舗が出品した商品よりもその商品の価値が高いと考えられる。また、ある店舗が出品した商品について、その商品の販売数、商品と関連する検索クエリの入力回数、商品コンテンツのインプレッション数や選択数、他の商品との価格差、商品が出品されてから経過した日数、他の店舗が出品した商品の販売数等は、その商品の価値の指標となる。そこで、情報提供装置１０は、上述した各種の情報に基づいて、商品の価値を示す価値スコアを算出し、算出した価値スコアに基づいて、商品コンテンツを表示する表示スコアを算出する。
【００２４】
また、情報提供装置１０は、検索クエリと各商品との関連度、検索クエリを入力した利用者の属性（例えば、デモグラフィック属性やサイコグラフィック属性）と商品の属性とのマッチング結果、検索クエリを入力した時刻や利用者端末１００の位置等、各種の情報に基づいて、商品コンテンツを表示する表示スコアを算出してもよい。そして、情報提供装置１０は、算出した表示スコアが高い順に、検索クエリと対応する商品の商品コンテンツを配置した検索結果を生成し、生成した検索結果を利用者Ｕへと提供する。
【００２５】
なお、情報提供装置１０は、各商品または各商品コンテンツのコンバージョンに応じた表示スコアを算出する場合がある。例えば、情報提供装置１０は、商品の販売総数、商品コンテンツのＣＴＲ（Click  Through  Rate）、ＣＰＡ（Cost  Per  Action/Cost  Per  Acquisition）、商品を購入するためのウェブコンテンツの閲覧回数、商品コンテンツの選択回数等、商品や商品コンテンツについて所定のコンバージョンを示す各種の数値に基づいて、表示スコアを算出する。
【００２６】
なお、上述した指標以外にも、情報提供装置１０は、任意の指標に基づいて、表示スコアを算出してよい。以下の説明では、情報提供装置１０は、上述した各種の指標や表示スコアを算出する際の公知の指標（以下、「従来指標」と記載する場合がある。）に加えて、配送に関する負荷に基づくスコアを考慮して、表示スコアを算出する処理の一例について説明する。すなわち、従来指標とは、配送に関する負荷に基づくスコアの算出に関する各種の指標以外の任意の指標を含む概念である。
【００２７】
〔１−２．決定処理について〕
しかしながら、従来技術では、商品の配送効率を悪化させる恐れがある。例えば、商品の配送効率を考慮すると、利用者Ｕが地域Ｃに居住する場合は、地域Ｃに所在する店舗Ｓ３が出品した商品の商品コンテンツを優先的に提示するのが望ましい。しかしながら、上述した技術では、店舗Ｓ１や店舗Ｓ２が、店舗Ｓ３よりも人気があったり、より高い販促割合や販売促進費を設定している場合に、店舗Ｓ１や店舗Ｓ２が出品した商品の商品コンテンツが優先的に表示されるので、店舗Ｓ１や店舗Ｓ２から利用者Ｕへと商品が発送される可能性が高い。
【００２８】
そこで、情報提供装置１０は、以下の決定処理を実行する。まず、情報提供装置１０は、提示対象となる商品を特定する。そして、情報提供装置１０は、商品の発送元から発送先までの配送に関する負荷に基づいて、特定された商品の情報を提示する順序である提示順序を決定する。より具体的には、情報提供装置１０は、上述した各種の従来指標とともに、商品の発送元から発送先までの配送に関する負荷を考慮して、商品コンテンツを表示する優先度を示す表示スコアの算出を行う。
【００２９】
例えば、情報提供装置１０は、上述した各種の従来指標と、以下に説明する各種の負荷を示す指標（以下、「負荷指標」と記載する）とのそれぞれに対し、各種の係数を設定した値の総和を表示スコアとして算出してもよい。また、情報提供装置１０は、上述した従来指標を用いて算出されるスコア（以下、「従来指標スコア」と記載する。）と、各種の負荷指標により算出されるスコア（すなわち、配送に関する負荷に基づくスコア。以下「負荷スコア」と記載する。）との加重平均を算出することで、配送負荷を加味した表示スコアの算出を行ってもよい。すなわち、情報提供装置１０は、商品や商品コンテンツの従来指標と、商品の発送元から発送先までの配送に関する負荷とに基づいて、商品コンテンツの提示順序を決定する。
【００３０】
ここで、商品の発送元から発送先までの配送に関する負荷とは、商品の配送を行う配送業者にとっての負荷であってもよく、環境に対する負荷であってもよい。例えば、情報提供装置１０は、負荷として、商品を発送する発送元から発送先までの距離に基づいて、提示順序を決定してもよい。また、情報提供装置１０は、負荷として、商品を発送する発送元から発送先まで商品を配送する手段に応じて、提示順序を決定してもよい。また、情報提供装置１０は、負荷として、商品を発送する発送元から発送先まで商品を配送する際に生じる温室効果ガス（例えば、二酸化炭素）の量に応じて、提示順序を決定してもよい。また、情報提供装置１０は、商品を発送する発送元から発送先まで商品を配送する際に生じる配送原価に応じて、提示順序を決定してもよい。
【００３１】
このように、情報提供装置１０は、各商品の発送に伴う各種の負荷に基づく順序で、各商品コンテンツを提供する。この結果、情報提供装置１０は、例えば、配送に伴う各種の負荷がより軽い商品の商品コンテンツを優先的に表示するので、商品の配送効率を改善することができる。
【００３２】
以下、図１を用いて、情報提供装置１０が実行する決定処理の一例について説明する。例えば、情報提供装置１０は、利用者Ｕが利用する利用者端末１００から、検索クエリを受付ける（ステップＳ１）。このような場合、情報提供装置１０は、検索クエリと対応する商品を特定するとともに、特定した商品を出品した店舗Ｓが商品を発送する発送元を特定する（ステップＳ２）。
【００３３】
例えば、情報提供装置１０は、各店舗Ｓが商品を発送する拠点と、各拠点における商品の在庫数との登録をあらかじめ受付けていてもよく、各店舗Ｓが使用する店舗端末２００（例えば、図２を参照）から取得してもよい。そして、情報提供装置１０は、検索対象と対応する各商品ごとに、各商品が購入された際にその商品を発送する発送元の住所を取得する。
【００３４】
続いて、情報提供装置１０は、利用者Ｕが発送先として指定するであろう住所を推定する。例えば、情報提供装置１０は、利用者Ｕが使用する利用者端末１００がＧＰＳ（Global  Positioning  System）等を用いて取得した位置情報を利用者Ｕの発送先と推定してもよく、利用者Ｕが過去に電子商店街で商品を購入した際に登録した発送先を用いてもよい。また、情報提供装置１０は、利用者Ｕが使用する利用者端末１００に付与されたＩＰ（Internet  Protocol）アドレスに基づいて、利用者端末１００の位置を推定し、推定した位置を発送先としてもよい。そして、情報提供装置１０は、各店舗Ｓから利用者に商品を配送する際の負荷を特定する（ステップＳ３）。すなわち、情報提供装置１０は、商品の発送元から発送先までの配送に関する負荷を特定する。
【００３５】
例えば、発送元から発送先までの距離が長い場合には、商品の配送に伴い、ガソリンなどの燃料や電力の消費量が増大すると考えられる。そこで、情報提供装置１０は、検索した各商品ごとに、取得した発送元から推定した発送先までの距離を算出し、算出した距離に基づいて、配送に伴う負荷の大きさを示す負荷スコアを算出する。例えば、情報提供装置１０は、算出した距離が長い程、高い値の負荷スコアの値を算出し、算出した距離が短い程、小さい値の負荷スコアを算出する。
【００３６】
ここで、飛行機で商品を配送する場合と、化石燃料を利用する車両で商品を配送する場合とでは、車両で商品を配送した方がより負荷が少ないとも考えられる。また、化石燃料を利用する車両で商品を配送する場合と、電車や電気自動車等で商品を配送する場合とでは、電車や電気自動車等で商品を配送した方が負荷が少ないとも考えられる。また、これら燃料や電気を用いて動作する移動体で商品を配送するよりも、自転車等の人力の移動体を用いて商品を配送した方が、負荷が少ないとも考えられる。そこで、情報提供装置１０は、各商品ごとに、商品を配送する手段を推定し、推定した手段に応じて負荷スコアを算出してもよい。
【００３７】
例えば、情報提供装置１０は、各店舗Ｓが予め登録した配送業者の情報や、発送元から発送先までの距離、一般的な配送業者が商品の配送を行う際に利用する配送手段等に基づいて、各商品を配送する手段を推定する。そして、情報提供装置１０は、推定した手段に応じて負荷を算出する。例えば、情報提供装置１０は、推定した手段により生じる環境負荷が少ないほど、小さい値の負荷スコアを算出する。なお、情報提供装置１０は、例えば、車両と電車とを組み合わせて商品を配送する場合、車両で配送を行う距離と電車で配送を行う距離とに基づいて、商品を配送する負荷スコアを算出してもよい。
【００３８】
また、情報提供装置１０は、発送元から発送先までの距離および推定した配送手段に基づいて、商品を配送する際に生じる温室効果ガスの量の指標を推定し、推定した指標に応じて、負荷スコアを算出してもよい。例えば、情報提供装置１０は、温室効果ガスの量の指標が少ない程、小さい値の負荷スコアを算出してもよい。
【００３９】
また、例えば、商品の配送においては、燃料費や人件費等が配送業務に伴う原価（以下、「配送原価」と記載する）が生じするが、このような配送原価の値は、配送に伴う各種の負荷の指標となりえる。そこで、情報提供装置１０は、商品を発送する発送元から発送先まで商品を配送する際に生じる配送原価を推定し、推定した配送原価に基づいて、負荷スコアを算出してもよい。例えば、情報提供装置１０は、燃料代等の配送原価が少ないほど、小さい値の負荷スコアを算出してもよい。
【００４０】
なお、情報提供装置１０は、上述した各種の要素を組み合わせて負荷スコアを算出してもよい。そして、情報提供装置１０は、算出した負荷スコアを考慮して、各商品コンテンツを表示する優先度を算出する（ステップＳ４）。例えば、情報提供装置１０は、負荷スコアの値が小さければ小さい程、大きい値の表示スコアを算出し、負荷スコアの値が大きい程、小さい値の表示スコアを算出する。
【００４１】
例えば、図１に示す例では、情報提供装置１０は、利用者Ｕから受付けた検索クエリと対応する商品として、商品を識別する「商品ＩＤ（Identifier）」が「Ｃ１」となる商品Ｃ１、「商品ＩＤ」が「Ｃ４」となる商品Ｃ４、および「商品ＩＤ」が「Ｃ５」となる商品Ｃ５を特定する。このような場合、情報提供装置１０は、各商品の配送手段やＣＯ２の排出量、発送元から発送先までの距離等に応じて、各商品Ｃ１、Ｃ４、Ｃ５の表示スコアを算出する。
【００４２】
例えば、図１に示す例では、店舗Ｓ１は、飛行機で商品を利用者Ｕへと発送し、店舗Ｓ２は、車両で商品を利用者Ｕへと発送し、店舗Ｓ３は、電車および車両を組み合わせて商品を利用者Ｕへと発送する。このような場合、各店舗Ｓから利用者Ｕへと商品を発送する際に生じる負荷は、店舗Ｓ１、店舗Ｓ２、店舗Ｓ３の順に低くなると考えられる。そこで、情報提供装置１０は、負荷が低い順、すなわち、店舗Ｓ３、店舗Ｓ２、店舗Ｓ１の順に、各店舗Ｓが出品する商品の商品コンテンツが表示されるよう、表示スコアの値を算出する。例えば、情報提供装置１０は、商品Ｃ１の表示スコア「５０」、商品Ｃ４の表示スコア「７０」、商品Ｃ５の表示スコア「１００」を算出する。
【００４３】
そして、情報提供装置１０は、検索結果を利用者Ｕに提供する（ステップＳ５）。例えば、情報提供装置１０は、店舗Ｓ３が出品した商品Ｃ５、店舗Ｓ２が出品した商品Ｃ４、および店舗Ｓ１が出品した商品Ｃ１の順に、商品コンテンツを並べた検索結果を生成し、生成した検索結果を利用者端末１００へと配信する。この結果、情報提供装置１０は、配送に伴う負荷が少ない商品の商品コンテンツを優先的に提示することができる。
【００４４】
〔１−３．発送元について〕
上述したように、情報提供装置１０は、商品ごとに、商品を出品した店舗Ｓが商品を発送する発送元を特定し、特定した発送元から発送先までの配送に関する負荷に基づいて、提示順序を決定する。ここで、情報提供装置１０は、任意の手法を用いて、商品の発送元を特定して良い。例えば、情報提供装置１０は、配送業者が有するデータベースから、電子商店街における過去の商品の配送に関する配送情報を取得し、取得した配送情報から、各店舗Ｓが商品を発送した拠点、すなわち、発送元を特定してもよい。また、情報提供装置１０は、予め各店舗Ｓが登録した発送元を採用してもよい。
【００４５】
〔１−４．発送先について〕
また、情報提供装置１０は、上述した処理以外にも、任意の処理を用いて、発送先を推定してもよい。例えば、情報提供装置１０は、利用者Ｕの位置を発送先として特定し、商品の発送元から、特定した利用者Ｕの位置までの配送に関する負荷に基づいて、負荷スコアを算出してもよい。また、情報提供装置１０は、過去に利用者Ｕが設定した発送先のリストを提示し、利用者Ｕが検索時に選択した発送先を採用してもよい。
【００４６】
ここで、利用者Ｕによっては、勤務先に発送する商品を購入する場合や、自宅に発送する商品を購入する場合等、異なる発送先に発送する商品を購入している場合がある。このような場合において、利用者Ｕが購入する商品には、発送先に応じた偏りが存在するとも考えられる。そこで、情報提供装置１０は、利用者Ｕが設定した発送先の履歴に基づいて、商品の発送先を推定し、商品の発送元から、推定した発送先までの配送に関する負荷に基づいて、負荷スコアを算出してもよい。例えば、情報提供装置１０は、利用者Ｕが購入した商品とその商品の発送先として利用者Ｕが設定した発送先との共起性に基づいて、検索された商品の発送先を推定し、商品の発送元から、推定した発送先までの配送に関する負荷に基づいて、負荷スコアを算出してもよい。
【００４７】
例えば、情報提供装置１０は、利用者Ｕが過去に購入した商品や商品の種別と、その商品を発送した発送先との間の共起性をＤＮＮ（Deep  Neural  Network）等のモデルに学習させる。そして、情報提供装置１０は、検索クエリを受付けた場合は、検索クエリと対応する商品を検索し、検索した商品ごとに、共起性を有する発送先を推定する。なお、このような発送先は、利用者Ｕが予め登録した発送先のうち、最も共起性が高い発送先を選択してもよい。そして、情報提供装置１０は、商品ごとに、発送元から推定した発送先までの発送に伴う負荷に応じて、表示スコアを算出してもよい。
【００４８】
また、情報提供装置１０は、検索クエリと、その検索クエリを入力した際に利用者Ｕが購入した商品を発送した発送先との間の共起性を学習し、利用者Ｕが入力した検索クエリと共起性を有する発送先を特定し、特定した発送先までの配送に伴う負荷に基づいて、表示スコアを算出してもよい。
【００４９】
また、情報提供装置１０は、商品の発送元から、予め登録された発送先のうち利用者Ｕが選択した発送先までの配送に関する負荷に基づいて、表示スコアを算出してもよい。例えば、情報提供装置１０は、検索クエリを入力する入力ウインドウと共に、商品の配送先を選択するためのチェックボックスを利用者端末１００に表示させる。そして、情報提供装置１０は、利用者Ｕがチェックしたチェックボックスと対応する発送先までの配送に伴う負荷に基づいて、表示スコアを算出してもよい。
【００５０】
〔１−５．利用者による負荷の選択について〕
なお、情報提供装置１０は、上述した決定処理を、利用者Ｕによる許諾が得られた場合にのみ実行してもよい。例えば、情報提供装置１０は、配送に伴う負荷に基づいて商品コンテンツを表示するか否かを選択するためのチェックボックスを表示し、利用者Ｕがチェックボックスをチェックした場合にのみ、負荷に応じた表示スコアの算出を行ってもよい。
【００５１】
また、情報提供装置１０は、商品の発送元から発送先までの配送に関する複数種別の負荷のうち、利用者Ｕにより選択された負荷に基づいて、表示スコアの算出を行ってもよい。例えば、情報提供装置１０は、距離、温室効果ガス、配送手段、配送原価等といった各種負荷を選択するためのチェックボックスを表示する。そして、情報提供装置１０は、利用者Ｕがチェックしたチェックボックスと対応する負荷に応じた表示スコアの算出を行ってもよい。
【００５２】
〔１−６．表示スコアの算出について〕
なお、情報提供装置１０は、上述した負荷スコアの値の逆数をそのまま表示スコアとしてもよい。また、情報提供装置１０は、負荷スコア以外にも、例えば、販促割合や販売促進費等といった商品の広告費に関する情報、商品の価格、電子商店街における商品の価値の少なくともいずれか１つに基づいて、表示スコアの算出を行ってもよい。
【００５３】
〔１−７．店舗について〕
ここで、情報提供装置１０は、電子商店街において商品を出品した店舗であって、それぞれ個別に商品を発送する店舗であるならば、任意の店舗間で商品の出品元を変更して良い。このような各店舗は、経済的に独立した店舗であってもよく、同一のグループに属する店舗であってもよい。
【００５４】
〔２．情報提供装置の構成〕
以下、上記した情報提供装置１０が有する機能構成の一例について説明する。図２は、実施形態に係る情報提供装置の構成例を示す図である。図２に示すように、情報提供装置１０は、通信部２０、記憶部３０、および制御部４０を有する。
【００５５】
通信部２０は、例えば、ＮＩＣ（Network  Interface  Card）等によって実現される。そして、通信部２０は、ネットワークＮと有線または無線で接続され、利用者端末１００、各店舗Ｓが利用する情報処理装置である店舗端末２００、および配送業者端末３００との間で情報の送受信を行う。
【００５６】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、商品データベース３１、店舗データベース３２、利用者データベース３３、および配送負荷データベース３４（以下「各データベース３１〜３４」と総称する場合がある。）を記憶する。
【００５７】
以下、図３〜図６を用いて、各データベース３１〜３４に登録される情報の一例について説明する。図３は、実施形態に係る商品データベースの一例を示す図である。図３に示した例では、商品データベース３１は、「店舗ＩＤ」、「商品ＩＤ」、「識別情報」、「在庫情報」、「価格」、「送料」、「状態情報」といった項目を有する。なお、商品データベース３１には、図３に示す情報以外にも、商品に関する任意の情報が登録されていてもよい。
【００５８】
「店舗ＩＤ」とは、各店舗Ｓを識別する識別子である。また、「商品ＩＤ」とは、各店舗が出品する商品を商品ごとに識別する識別子である。また、「識別情報」とは、ＪＡＮコード等、商品を識別する識別子である。また、「在庫情報」、とは、商品の在庫の数を示す情報である。また、「価格」とは、商品の販売価格を示す情報である。また、「送料」、とは、商品の配送に要する料金を示す情報である。また、「状態情報」とは、商品の状態を示す情報であり、新品であるか中古であるかを示す情報である。
【００５９】
例えば、図３に示す例では、商品データベース３１には、店舗ＩＤ「Ｓ１」、商品ＩＤ「Ｃ１」、識別情報「Ｂ１」、在庫情報「１５」、価格「２６００」、送料「５００」、および状態情報「新品」が対応付けて登録されている。このような情報は、店舗ＩＤ「Ｓ１」が示す店舗Ｓにより、電子商店街において商品ＩＤ「Ｃ１」により識別される商品であって、識別情報「Ｂ１」が示す商品が出品されている旨を示す。また、このような情報は、商品ＩＤ「Ｃ１」により識別される商品の在庫の数が、「１５」であり、販売価格が「２６００」円であり、送料が「５００」円であり、状態が「新品」である旨を示す。
【００６０】
図４は、実施形態に係る店舗データベースの一例を示す図である。図４に示した例では、店舗データベース３２は、「店舗ＩＤ」、「倉庫ＩＤ」、「所在位置」、「商品ＩＤ」、「在庫数」といった項目を有する。なお、店舗データベース３２には、図４に示す情報以外にも、店舗に関する任意の情報が登録されていてもよい。
【００６１】
「倉庫ＩＤ」とは、対応付けられた「店舗ＩＤ」が示す店舗Ｓが有する倉庫、すなわち、対応付けられた「店舗ＩＤ」が示す店舗Ｓが商品の発送元とする施設の識別子である。また、「所在位置」とは、対応付けられた「倉庫ＩＤ」が示す倉庫の所在位置、すなわち、対応付けられた「店舗ＩＤ」が示す店舗Ｓが発送元とする施設が所在する地域を示す。
【００６２】
例えば、図４に示す例では、店舗ＩＤ「Ｓ１」、倉庫ＩＤ「Ｍ１」、所在位置「Ａ１」、商品ＩＤ「Ｃ１」、および在庫数「５」が対応付けて登録されている。このような情報は、店舗ＩＤ「Ｓ１」が示す店舗Ｓが、発送元となる施設として倉庫ＩＤ「Ｍ１」が示す施設が、所在位置「Ａ１」が示す地域に所在している旨を示す。また、このような情報は、倉庫ＩＤ「Ｍ１」が示す施設に、商品ＩＤ「Ｃ１」が示す商品が格納されており、その在庫数が「５」個である旨を示す。
【００６３】
図５は、実施形態に係る利用者データベースの一例を示す図である。図５に示した例では、利用者データベース３３は、「利用者ＩＤ」、「発送先」、「年齢」、「性別」といった項目を有する。なお、利用者データベース３３には、図５に示す情報以外にも、例えば、利用者が設定した自宅以外の発送先等、利用者に関する任意の情報が登録されていてもよい。
【００６４】
「利用者ＩＤ」とは、利用者を識別する識別子である。また、「発送先」とは、対応付けられた「利用者ＩＤ」が示す利用者Ｕが登録した発送先を示す情報である。また、「年齢」とは、対応付けられた「利用者ＩＤ」が示す利用者の年齢を示す。また、「性別」とは、対応付けられた「利用者ＩＤ」が示す利用者の性別を示す。
【００６５】
例えば、図５に示す例では、利用者ＩＤ「Ｕ１」、発送先「Ａ１−１、Ａ１−２・・・」、年齢「３２」、および性別「男性」が対応付けて登録されている。このような情報は、利用者ＩＤ「Ｕ１」が示す利用者Ｕが、発送先「Ａ１−１」または「Ａ１−２」に商品を発送しており、年齢が「３２」歳であり、性別が「男性」である旨を示す。
【００６６】
図６は、実施形態に係る配送負荷データベースの一例を示す図である。図６に示した例では、配送負荷データベース３４は、「発送元」、「発送先」、「配送手段」、「ＣＯ２排出量」、および「距離」といった項目を有する。なお、配送負荷データベース３４には、図６に示す情報以外にも、配送に伴う負荷、すなわち、配送負荷に関する各種の情報が登録されていてもよい。
【００６７】
ここで、「発送元」とは、商品の発送元を示す情報であり、「発送先」とは、商品の発送先を示す情報である。また、「配送手段」とは、対応付けられた「発送元」から「発送先」まで商品を配送する際に用いられる配送手段を示す情報である。また、「ＣＯ２排出量」とは、対応付けられた「発送元」から「発送先」まで、対応付けられた「配送手段」により商品が配送される際に生じると推定された温室効果ガスの排出量の指標を示す情報である。また、「距離」とは、対応付けられた「発送元」から「発送先」までの距離を示す情報である。
【００６８】
例えば、図６に示す例では、発送元「Ａ１」、発送先「Ａ２」、配送手段「飛行機」、ＣＯ２排出量「Ｏ１」、および距離「Ｒ１」といった情報が対応付けて登録されている。このような情報は、発送元「Ａ１」から発送先「Ａ２」まで商品を配送する際の配送手段が「飛行機」であり、ＣＯ２排出量が「Ｏ１」が示す量であり、距離が「Ｒ１」である旨を示す。
【００６９】
図２に戻って説明を続ける。制御部４０は、例えば、コントローラ（controller）であり、ＣＰＵ（Central  Processing  Unit）やＭＰＵ（Micro  Processing  Unit）等によって、情報提供装置１０内部の記憶装置に記憶されている各種プログラム（通知プログラムの一例に相当）がＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。
【００７０】
図２に示すように、制御部４０は、受付部４１、特定部４２、決定部４３、および提供部４４を有する。受付部４１は、利用者端末１００から、利用者Ｕが所望する商品を検索するための検索クエリを受付ける。
【００７１】
特定部４２は、提示対象となる商品を特定する。例えば、特定部４２は、検索クエリが受け付けられた場合は、かかる検索クエリと対応する商品を商品データベース３１から特定する。すなわち、特定部４２は、利用者Ｕから受付けた情報と対応する商品を商品コンテンツの提示対象となる商品として特定する。
【００７２】
決定部４３は、商品の発送元から発送先までの配送に関する負荷に基づいて、特定された商品の情報を提示する順序である提示順序を決定する。すなわち、決定部４３は、特定部４２により特定された商品ごとに、発送元から発送先までの配送負荷に基づいて、負荷スコアを算出し、算出した負荷スコアに基づいて、商品コンテンツを表示する優先度である表示スコアを算出する。
【００７３】
例えば、決定部４３は、負荷として、商品を発送する発送元から発送先までの距離に基づいて、負荷スコアを算出する。また、決定部４３は、負荷として、商品を発送する発送元から発送先まで商品を配送する手段に応じて、負荷スコアを算出する。また、決定部４３は、負荷として、商品を発送する発送元から発送先まで商品を配送する際に生じる温室効果ガスの量に応じて、負荷スコアを算出する。また、決定部４３は、負荷として、商品を発送する発送元から発送先まで商品を配送する際に生じる配送原価に応じて、負荷スコアを算出する。
【００７４】
また、例えば、決定部４３は、特定された商品ごとに、商品を出品した店舗Ｓが商品を発送する発送元を特定し、特定した発送元から発送先までの配送に関する負荷に基づいて、負荷スコアを算出する。また、例えば、決定部４３は、利用者Ｕの位置を発送先として特定し、商品の発送元から、特定した利用者Ｕの位置までの配送に関する負荷に基づいて、負荷スコアを算出する。
【００７５】
なお、例えば、決定部４３は、利用者Ｕが設定した発送先の履歴に基づいて、特定された商品の発送先を推定し、商品の発送元から、推定した発送先までの配送に関する負荷に基づいて、負荷スコアを算出してもよい。例えば、決定部４３は、利用者Ｕが購入した商品と商品の発送先として利用者Ｕが設定した発送先との共起性に基づいて、特定された商品の発送先を推定し、商品の発送元から、推定した発送先までの配送に関する負荷に基づいて、負荷スコアを算出してもよい。
【００７６】
また、例えば、決定部４３は、商品の発送元から、予め登録された発送先のうち利用者Ｕが選択した発送先までの配送に関する負荷に基づいて、負荷スコアを算出してもよい。また、決定部４３は、商品の発送元から発送先までの配送に関する複数種別の負荷のうち、利用者Ｕにより選択された負荷に基づいて、負荷スコアを算出してもよい。
【００７７】
例えば、決定部４３は、検索クエリと対応する商品を特定部４２が特定した場合は、特定した商品を販売する店舗を特定し、特定した店舗がその商品を発送する拠点の所在地を発送元として店舗データベース３２から特定する。また、決定部４３は、利用者Ｕの利用者ＩＤと対応付けて登録された発送先のうち、利用者Ｕが選択した発送先や、商品との共起性が高い発送先を利用者データベース３３から特定する。そして、決定部４３は、配送負荷データベース３４を参照し、特定した発送元から発送先までの配送負荷（配送手段やＣＯ２排出量、距離等）を特定し、特定した配送負荷に基づいて、負荷スコアを算出する。
【００７８】
また、決定部４３は、各商品ごとに負荷スコアを算出した場合は、算出した負荷スコアに加えて、商品の広告費に関する情報、商品の価格、または電子商店街における商品の価値の少なくともいずれか１つに基づいて、商品コンテンツを表示する優先度を示す表示スコアを算出する。
【００７９】
提供部４４は、決定部４３が決定した順序で、各商品の商品コンテンツを利用者Ｕに提供する。例えば、提供部４４は、特定部４２が特定した各商品の商品コンテンツを、決定部４３が算出した表示スコアの値が高い方から順に並べた検索結果を生成する。そして、提供部４４は、検索結果を利用者端末１００へと送信する。なお、提供部４４は、表示スコアの値が高い方から順に商品コンテンツを利用者端末１００へと配信してもよい。
【００８０】
〔３．処理手順〕
次に、図７を用いて、実施形態に係る情報提供装置１０による決定処理の手順について説明する。図７は、実施形態に係る決定処理の流れの一例を示すフローチャートである。図７に示すように、情報提供装置１０は、検索クエリを受付けたか否かを判定し（ステップＳ１０１）、受付けていない場合は（ステップＳ１０１：Ｎｏ）、受付けるまで待機する。また、情報提供装置１０は、検索クエリを受付けた場合は（ステップＳ１０１：Ｙｅｓ）、検索クエリと対応する商品を特定する（ステップＳ１０２）。
【００８１】
続いて、情報提供装置１０は、商品の発送先を推定し（ステップＳ１０３）、商品ごとに配送負荷を特定する（ステップＳ１０４）。そして、情報提供装置１０は、特定した配送負荷に応じて、商品コンテンツを表示する優先度を算出し（ステップＳ１０５）、算出した優先度に応じて、検索結果を生成する（ステップＳ１０６）。その後、情報提供装置１０は、検索結果を利用者Ｕに提供し（ステップＳ１０７）、処理を終了する。
【００８２】
〔４．変形例〕
上述した情報提供装置１０は、上記実施形態以外にも種々の異なる形態にて実施されてもよい。そこで、以下では、情報提供装置１０の他の実施形態について説明する。
【００８３】
〔４−１．情報提供装置について〕
上記実施形態では、電子商店街に関するサービスを提供する情報提供装置１０が、表示スコアの算出を行った。しかしながら、実施形態は、これに限定されるものではない。例えば、情報提供装置１０は、電子商店街に関するサービスを提供するサーバ装置と、上述した決定処理を実行する決定装置、すなわち、スコア算出サーバとが協調して動作することにより、上述した処理を実現してもよい。このような場合、サーバ装置は、図２に示す受付部４１と提供部４４とを有し、スコア算出サーバは、特定部４２、および決定部４３を有することとなる。
【００８４】
〔４−２．算出するスコアについて〕
ここで、上記の実施形態では、情報提供装置１０は、電子商店街に出品された商品の中から利用者Ｕが入力した検索クエリと対応する商品を検索する際に、負荷スコアを考慮した。しかしながら、実施形態は、これに限定されるものではない。例えば、情報提供装置１０は、利用者Ｕが商品を検索する際のみならず、例えば、各種の商品をリコメンドする場合や、商品に関連する広告を選択する際に、各種の負荷指標を考慮した選択を行ってもよい。例えば、情報提供装置１０は、広告やリコメンド情報等、配信対象となるコンテンツを関連する商品の発送元から、コンテンツの配信先となる利用者Ｕの位置、登録済みの住所等といった発送先までの配送における各種の負荷に基づいて、負荷スコアを算出し、従来指標スコアと負荷スコアとに基づいて、配信対象となるコンテンツの選択を行ってもよい。
【００８５】
〔４−３．インセンティブについて〕
なお、情報提供装置１０は、配送の効率化に対するインセンティブを設定してもよい。例えば、情報提供装置１０は、利用者Ｕが購入した商品の負荷スコアが所定の閾値よりも高い場合には、利用者Ｕに対してポイント等のインセンティブを設定してもよく、配送業者から配送負荷の軽減に対するインセンティブを取得してもよい。また、例えば、情報提供装置１０は、負荷スコアを考慮した際の表示スコアと負荷スコアを考慮しない際の表示スコアとの差が所定の閾値を超える商品が購入された場合に、各種のインセンティブを設定してもよい。
【００８６】
〔４−４．その他〕
また、上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００８７】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８８】
また、上記してきた各実施形態は、処理内容を矛盾させない範囲で適宜組み合わせることが可能である。
【００８９】
〔４−５．プログラム〕
また、上述した実施形態に係る情報提供装置１０は、例えば図８に示すような構成のコンピュータ１０００によって実現される。図８は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００９０】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現される。
【００９１】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００９２】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００９３】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００９４】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００９５】
例えば、コンピュータ１０００が情報提供装置１０として機能する場合、コンピュータ１０００の演算装置１０３０は、一次記憶装置１０４０上にロードされたプログラムを実行することにより、制御部４０の機能を実現する。
【００９６】
〔５．効果〕
上述してきたように、情報提供装置１０は、提示対象となる商品を特定する。そして、情報提供装置１０は、商品の発送元から発送先までの配送に関する負荷に基づいて、特定した商品の情報を提示する順序である提示順序を決定する。この結果、情報提供装置１０は、配送負荷に応じた順序で商品コンテンツを提示することができるので、配送負荷が少ない商品の購入確率を向上させる結果、商品の配送効率を改善することができる。
【００９７】
また、例えば、情報提供装置１０は、負荷として、商品を発送する発送元から発送先までの距離に基づいて、提示順序を決定する。また、例えば、情報提供装置１０は、負荷として、商品を発送する発送元から発送先まで商品を配送する手段に応じて、提示順序を決定する。また、例えば、情報提供装置１０は、負荷として、商品を発送する発送元から発送先まで商品を配送する際に生じる温室効果ガスの量に応じて、提示順序を決定する。また、情報提供装置１０は、負荷として、商品を発送する発送元から発送先まで商品を配送する際に生じる配送原価に応じて、提示順序を決定する。この結果、情報提供装置１０は、商品の配送負荷を軽減することができるので、商品の配送効率を改善することができる。
【００９８】
また、情報提供装置１０は、商品ごとに、その商品を出品した店舗がその商品を発送する発送元を特定し、特定した発送元から発送先までの配送に関する負荷に基づいて、提示順序を決定する。また、情報提供装置１０は、利用者Ｕの位置を発送先として特定し、商品の発送元から、特定した利用者Ｕの位置までの配送に関する負荷に基づいて、提示順序を決定する。また、情報提供装置１０は、利用者Ｕが設定した発送先の履歴に基づいて、特定部により特定された商品の発送先を推定し、商品の発送元から、推定した発送先までの配送に関する負荷に基づいて、提示順序を決定する。
【００９９】
例えば、情報提供装置１０は、利用者Ｕが購入した商品とその商品の発送先として利用者Ｕが設定した発送先との共起性に基づいて、商品の発送先を推定し、商品の発送元から、推定した発送先までの配送に関する負荷に基づいて、提示順序を決定する。また、情報提供装置１０は、商品の発送元から、予め登録された発送先のうち利用者Ｕが選択した発送先までの配送に関する負荷に基づいて、提示順序を決定する。
【０１００】
上述した各所の結果、情報提供装置１０は、各商品の配送負荷を適切に特定することができる。
【０１０１】
また、情報提供装置１０は、商品の発送元から発送先までの配送に関する複数種別の負荷のうち、利用者Ｕにより選択された負荷に基づいて、特定部が特定した商品の情報を提示する順序である提示順序を決定する。このため、情報提供装置１０は、利用者Ｕの嗜好に応じて商品コンテンツの表示順序を決定できる。
【０１０２】
また、情報提供装置１０は、商品または商品に関する情報（すなわち、商品コンテンツ）と関連する従来指標と、商品の発送元から発送先までの配送に関する負荷とに基づいて、提示順序を決定する。商品の広告費に関する情報、その商品の価格、または電子商店街におけるその商品の価値の少なくともいずれか１つと、その商品の発送元から発送先までの配送に関する負荷に基づいて、提示順序を決定する。このため、情報提供装置１０は、各商品の表示スコアを適切に算出することができる。
【０１０３】
以上、本願の実施形態を図面に基づいて詳細に説明したが、これは例示であり、発明の開示の欄に記載の態様を始めとして、当業者の知識に基づいて種々の変形、改良を施した他の形態で本発明を実施することが可能である。
【０１０４】
また、上述してきた「部（section、module、unit）」は、「手段」や「回路」などに読み替えることができる。例えば、取得部は、取得手段や取得回路に読み替えることができる。
【符号の説明】
【０１０５】
１０  情報提供装置
２０  通信部
３０  記憶部
３１  商品データベース
３２  店舗データベース
３３  利用者データベース
３４  配送負荷データベース
４０  制御部
４１  受付部
４２  特定部
４３  決定部
４４  提供部
１００  利用者端末
２００  店舗端末
３００  配送業者端末
【図１】
2019032624.tif 000003
【図２】
2019032624.tif 000004
【図３】
2019032624.tif 000005
【図４】
2019032624.tif 000006
【図５】
2019032624.tif 000007
【図６】
2019032624.tif 000008
【図７】
2019032624.tif 000009
【図８】
2019032624.tif 000010
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
電子商店街に出品された商品のうち、利用者から受付けた情報と対応する商品を特定する特定部と、
前記商品を発送元から発送先まで配送した場合に生じる複数種別の負荷であって、少なくとも、環境への負荷を含む複数の負荷を示す情報を前記利用者に提示し、当該利用者が前記複数の負荷の中から選択した負荷に基づいて、前記特定部が特定した商品の情報を提示する順序である提示順序を決定する決定部と、
を有することを特徴とする決定装置。
【請求項２】
電子商店街に出品された商品のうち、利用者から受付けた情報と対応する商品を特定する特定部と、
前記商品を発送元から発送先まで配送した場合に生じる負荷に基づいて、前記特定部が特定した商品の情報を提示する順序である提示順序を決定する決定部と、
前記特定部により特定された商品のうちいずれかの商品を前記利用者が購入した場合は、購入された商品を前記発送元から前記発送先まで配送した場合に生じる負荷に応じて、前記利用者に対する報酬を設定する設定部と
を有することを特徴とする決定装置。
【請求項３】
前記決定部は、前記特定部が特定した商品を発送する発送元から発送先までの距離に応じた負荷に基づいて、前記提示順序を決定する
ことを特徴とする請求項１または２に記載の決定装置。
【請求項４】
前記決定部は、前記特定部が特定した各商品を前記発送元から発送先まで配送する手段を特定し、特定した手段に応じた負荷に基づいて、前記提示順序を決定する
ことを特徴とする請求項１〜３のうちいずれか１つに記載の決定装置。
【請求項５】
前記決定部は、前記負荷として、前記特定部が特定した商品を発送する発送元から発送先まで前記商品を配送する際に生じる温室効果ガスの量に応じて、前記提示順序を決定する
ことを特徴とする請求項１〜４のうちいずれか１つに記載の決定装置。 
【請求項６】
前記決定部は、前記負荷として、前記特定部が特定した商品を発送する発送元から発送先まで前記商品を配送する際に生じる配送原価に応じて、前記提示順序を決定する
ことを特徴とする請求項１〜５のうちいずれか１つに記載の決定装置。
【請求項７】
前記決定部は、前記特定部により特定された商品ごとに、当該商品を出品した店舗により当該商品が発送される場合の発送元を特定し、特定した発送元から発送先までの配送に関する負荷に基づいて、前記提示順序を決定する
ことを特徴とする請求項１〜６のうちいずれか１つに記載の決定装置。
【請求項８】
前記決定部は、前記利用者の位置を前記発送先として特定し、前記商品の発送元から、特定した前記利用者の位置までの配送に関する負荷に基づいて、前記提示順序を決定する
ことを特徴とする請求項１〜７のうちいずれか１つに記載の決定装置。 
【請求項９】
前記決定部は、前記利用者が設定した発送先の履歴に基づいて、前記特定部により特定された商品の発送先を推定し、前記商品の発送元から、推定した発送先までの配送に関する負荷に基づいて、前記提示順序を決定する
ことを特徴とする請求項１〜８のうちいずれか１つに記載の決定装置。 
【請求項１０】
前記決定部は、前記利用者が購入した商品と当該商品の発送先として前記利用者が設定した発送先との共起性に基づいて、前記特定部により特定された商品の発送先を推定し、前記商品の発送元から、推定した発送先までの配送に関する負荷に基づいて、前記提示順序を決定する
ことを特徴とする請求項９に記載の決定装置。 
【請求項１１】
前記決定部は、前記商品の発送元から、予め登録された発送先のうち前記利用者が選択した発送先までの配送に関する負荷に基づいて、前記提示順序を決定する
ことを特徴とする請求項１〜１０のうちいずれか１つに記載の決定装置。 
【請求項１２】
前記決定部は、前記商品の購買履歴または当該商品に関する情報の配信履歴に基づいて予め算出された指標と、前記商品の発送元から発送先までの配送に関する負荷とに基づいて、前記提示順序を決定する
ことを特徴とする請求項１〜１１のうちいずれか１つに記載の決定装置。
【請求項１３】
前記決定部は、前記商品の広告費に関する情報、当該商品の価格、または電子商店街における当該商品の価値の少なくともいずれか１つと、当該商品の発送元から発送先までの配送に関する負荷に基づいて、前記提示順序を決定する
ことを特徴とする請求項１２に記載の決定装置。 
【請求項１４】
決定装置が実行する決定方法であって、
電子商店街に出品された商品のうち、利用者から受付けた情報と対応する商品を特定する特定工程と、
前記商品を発送元から発送先まで配送した場合に生じる複数種別の負荷であって、少なくとも、環境への負荷を含む複数の負荷を示す情報を前記利用者に提示し、当該利用者が前記複数の負荷の中から選択した負荷に基づいて、前記特定工程で特定した商品の情報を提示する順序である提示順序を決定する決定工程と、
を含むことを特徴とする決定方法。 
【請求項１５】
電子商店街に出品された商品のうち、利用者から受付けた情報と対応する商品を特定する特定手順と、
前記商品を発送元から発送先まで配送した場合に生じる複数種別の負荷であって、少なくとも、環境への負荷を含む複数の負荷を示す情報を前記利用者に提示し、当該利用者が前記複数の負荷の中から選択した負荷に基づいて、前記特定手順で特定した商品の情報を提示する順序である提示順序を決定する決定手順と、
を実行させるための決定プログラム。
【請求項１６】
決定装置が実行する決定方法であって、
電子商店街に出品された商品のうち、利用者から受付けた情報と対応する商品を特定する特定工程と、
前記商品を発送元から発送先まで配送した場合に生じる負荷に基づいて、前記特定工程で特定した商品の情報を提示する順序である提示順序を決定する決定工程と、
前記特定工程で特定された商品のうちいずれかの商品を前記利用者が購入した場合は、購入された商品を前記発送元から前記発送先まで配送した場合に生じる負荷に応じて、前記利用者に対する報酬を設定する設定工程と
を含むことを特徴とする決定方法。
【請求項１７】
電子商店街に出品された商品のうち、利用者から受付けた情報と対応する商品を特定する特定手順と、
前記商品を発送元から発送先まで配送した場合に生じる負荷に基づいて、前記特定手順で特定した商品の情報を提示する順序である提示順序を決定する決定手順と、
前記特定手順で特定された商品のうちいずれかの商品を前記利用者が購入した場合は、購入された商品を前記発送元から前記発送先まで配送した場合に生じる負荷に応じて、前記利用者に対する報酬を設定する設定手順と
を実行させるための決定プログラム。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
電子商店街に出品された商品のうち、利用者から受付けた情報と対応する商品を特定する特定部と、
前記商品を発送元から発送先まで配送した場合に生じる負荷に基づいて、前記特定部が特定した商品の情報を提示する順序である提示順序を決定する決定部と、
前記特定部により特定された商品のうちいずれかの商品を前記利用者が購入した場合は、購入された商品を前記発送元から前記発送先まで配送した場合に生じる負荷に応じて、前記利用者に対するインセンティブを設定する設定部と
を有することを特徴とする決定装置。 
【請求項２】
前記決定部は、前記特定部が特定した商品を発送する発送元から発送先までの距離に応じた負荷に基づいて、前記提示順序を決定する
ことを特徴とする請求項１に記載の決定装置。 
【請求項３】
前記決定部は、前記特定部が特定した各商品を前記発送元から発送先まで配送する手段を特定し、特定した手段に応じた負荷に基づいて、前記提示順序を決定する
ことを特徴とする請求項１または２に記載の決定装置。 
【請求項４】
前記決定部は、前記負荷として、前記特定部が特定した商品を発送する発送元から発送先まで前記商品を配送する際に生じる温室効果ガスの量に応じて、前記提示順序を決定する
ことを特徴とする請求項１〜３のうちいずれか１つに記載の決定装置。  
【請求項５】
前記決定部は、前記負荷として、前記特定部が特定した商品を発送する発送元から発送先まで前記商品を配送する際に生じる配送原価に応じて、前記提示順序を決定する
ことを特徴とする請求項１〜４のうちいずれか１つに記載の決定装置。 
【請求項６】
前記決定部は、前記特定部により特定された商品ごとに、当該商品を出品した店舗により当該商品が発送される場合の発送元を特定し、特定した発送元から発送先までの配送に関する負荷に基づいて、前記提示順序を決定する
ことを特徴とする請求項１〜５のうちいずれか１つに記載の決定装置。 
【請求項７】
前記決定部は、前記利用者の位置を前記発送先として特定し、前記商品の発送元から、特定した前記利用者の位置までの配送に関する負荷に基づいて、前記提示順序を決定する
ことを特徴とする請求項１〜６のうちいずれか１つに記載の決定装置。  
【請求項８】
前記決定部は、前記利用者が設定した発送先の履歴に基づいて、前記特定部により特定された商品の発送先を推定し、前記商品の発送元から、推定した発送先までの配送に関する負荷に基づいて、前記提示順序を決定する
ことを特徴とする請求項１〜７のうちいずれか１つに記載の決定装置。  
【請求項９】
前記決定部は、前記利用者が購入した商品と当該商品の発送先として前記利用者が設定した発送先との共起性に基づいて、前記特定部により特定された商品の発送先を推定し、前記商品の発送元から、推定した発送先までの配送に関する負荷に基づいて、前記提示順序を決定する
ことを特徴とする請求項８に記載の決定装置。  
【請求項１０】
前記決定部は、前記商品の発送元から、予め登録された発送先のうち前記利用者が選択した発送先までの配送に関する負荷に基づいて、前記提示順序を決定する
ことを特徴とする請求項１〜９のうちいずれか１つに記載の決定装置。  
【請求項１１】
前記決定部は、前記商品の購買履歴または当該商品に関する情報の配信履歴に基づいて予め算出された指標と、前記商品の発送元から発送先までの配送に関する負荷とに基づいて、前記提示順序を決定する
ことを特徴とする請求項１〜１０のうちいずれか１つに記載の決定装置。 
【請求項１２】
前記決定部は、前記商品の広告費に関する情報、当該商品の価格、または電子商店街における当該商品の価値の少なくともいずれか１つと、当該商品の発送元から発送先までの配送に関する負荷に基づいて、前記提示順序を決定する
ことを特徴とする請求項１１に記載の決定装置。  
【請求項１３】
決定装置が実行する決定方法であって、
電子商店街に出品された商品のうち、利用者から受付けた情報と対応する商品を特定する特定工程と、
前記商品を発送元から発送先まで配送した場合に生じる負荷に基づいて、前記特定工程で特定した商品の情報を提示する順序である提示順序を決定する決定工程と、
前記特定工程で特定された商品のうちいずれかの商品を前記利用者が購入した場合は、購入された商品を前記発送元から前記発送先まで配送した場合に生じる負荷に応じて、前記利用者に対するインセンティブを設定する設定工程と
を含むことを特徴とする決定方法。  
【請求項１４】
電子商店街に出品された商品のうち、利用者から受付けた情報と対応する商品を特定する特定手順と、
前記商品を発送元から発送先まで配送した場合に生じる負荷に基づいて、前記特定手順で特定した商品の情報を提示する順序である提示順序を決定する決定手順と、
前記特定手順で特定された商品のうちいずれかの商品を前記利用者が購入した場合は、購入された商品を前記発送元から前記発送先まで配送した場合に生じる負荷に応じて、前記利用者に対するインセンティブを設定する設定手順と
を実行させるための決定プログラム。